(57)【特許請求の範囲】
【請求項１】
顔面に対して気密状態で着用される面体が前記顔面と向かい合う内面とその反対面である外面とを有するとともに、前記外面の側から前記内面の側への清浄空気の流入を可能にする空気流路に形成された吸気孔と、前記面体が前記気密状態にあるか否かを点検するためのフィットチェッカーとを有する呼吸用保護具であって、
前記フィットチェッカーは、前記空気流路にあって前記吸気孔に対して前記外面の側において開閉する点検用弁と、前記空気流路の外から前記点検用弁を開閉させることが可能な操作用レバーとを有し、
前記レバーの操作によって、前記点検用弁が前記外面から前記内面に向かう第１方向と前記内面から前記外面に向かう第２方向とのうちの少なくとも前記第１方向へ移動して前記吸気孔を前記外面の側から閉じることが可能であり、
前記レバーは、その長さ方向における一端部と、その反対端部である操作端部と、これら両端部の間の中間部とを有し、前記操作端部が前記空気流路の外にあって前記第１方向への旋回と前記第２方向への旋回とを反復できるように、前記レバーは往復回転運動可能に前記中間部において前記面体に取り付けられており、
前記操作端部が前記第２方向へ旋回すると、前記一端部に取り付けられている前記点検用弁が前記第１方向へ旋回して前記吸気孔を前記外面の側から閉じ、前記操作端部が前記第１方向へ旋回すると、前記点検用弁が前記第２方向へ旋回して前記吸気孔を開くことが可能であることを特徴とする前記呼吸用保護具。
【請求項２】
前記レバーには、前記点検用弁が前記吸気孔を閉じるように前記レバーを付勢するための付勢手段が形成されている請求項１記載の呼吸用保護具。
【請求項３】
前記付勢手段は、前記レバーから延出する弾性アームであって、前記レバーを付勢するときに、前記面体の一部分に圧接して弾性変形する請求項２記載の呼吸用保護具。
【請求項４】
前記レバーは、前記操作端部が下方となるように前記面体の内側において上下方向へ延びていて、前記操作端部が前記空気流路の外へ延出している請求項１−３のいずれかに記載の呼吸用保護具。
【請求項５】
前記呼吸用保護具は、前記面体の両側部それぞれにフィルタユニットを有している請求項１−４のいずれかに記載の呼吸用保護具。
【請求項６】
前記点検用弁は、前記第１方向への旋回と前記第２方向への旋回とを反復できるように前記点検用弁の周縁部の一部分が旋回用のピンを介して前記面体に対して取り付けられている請求項１−５のいずれかに記載の呼吸用保護具。
【発明の詳細な説明】
【技術分野】
【０００１】
この発明は、呼吸用保護具に関し、より詳しくはフィットチェッカーを有する呼吸用保護具に関する。
【背景技術】
【０００２】
防じんマスクや防護マスク等の呼吸用保護具において、呼吸用保護具の面体が着用者の顔面に対して気密状態となるように着用されているか否かを点検するために、換言すると、着用した面体と顔面との間に外気の侵入を可能にする間隙の無いことを確認するために、フィットチェッカーを面体に付属させることは公知でもあり周知でもある。【０００３】
例えば、特開２００１−３０９９９０号公報（Ｐ２００１−３０９９９０Ａ、特許文献１）に記載のマスクは、面体に吸気孔が形成されていて、面体の内側では吸気用逆止弁がその吸気孔に対して開閉する。吸気孔の前方である面体の外側には、時計方向と反時計方向とに回転するアームと、アームの先端部に取り付けられた板状のシャッターとによってフィットチェッカーが形成されている。面体を着用して、アームを回転させると、シャッターが旋回運動して、吸気孔を開閉することができる。マスクと顔面とが良好な密着状態にあるときにシャッターが吸気孔を閉じていると、マスク着用者は息苦しさを感じてマスクと顔面とが気密状態にあることを知ることができる。このフィットチェッカーのシャッターは、それが旋回運動するときに、吸気孔の周囲に形成されている弁座に対して摺動する。【０００４】
特開２０１０−３５６０２号公報（Ｐ２０１０−３５６０２Ａ、特許文献２）に記載された防護マスクは、面体の上下方向へ延びるシャフトと、シャフトの下端部に取り付けられたシャッタ板とによってフィットチェッカーが形成されている。シャフトを下方向へ移動させると、シャッタ板も下方向へ移動して吸気孔を開くことができ、シャフトを上方向へ移動させると、シャッタ板も上方向へ移動して吸気孔を閉じることができる。面体を着用したならば、シャッタ板で吸気を閉じることによって、その面体が顔面に対して気密状態にあるか否かを点検することができる。シャッタ板は、上下方向へ移動するときに吸気孔の周囲に形成されている弁座に対して摺動する。
【先行技術文献】
【特許文献】
【０００５】
【特許文献１】特開２００１−３０９９９０号公報（Ｐ２００１−３０９９９０Ａ）
【特許文献２】特開２０１０−３５６０２号公報（Ｐ２０１０−３５６０２Ａ）
【発明の概要】
【発明が解決しようとする課題】
【０００６】
防じんマスクや防護マスク等の呼吸用保護具におけるフィットチェッカーのシャッター板またはそれに対する弁座は、通常天然ゴムや合成ゴム等の柔軟弾性材料によって形成される。呼吸用保護具の面体を長期にわたって繰り返し使用するときに、そのようなシャッター板または弁座は、シャッター板と弁座との摺動の繰り返しによって磨耗したり、損傷を受けたりすることがあるから、定期的な点検や交換の作業が必要になる。また、吸気孔の前方において旋回したり上下動したりするシャッター板は、マスク着用者の視野を横断する方向や縦断する方向へ動くものであるから、そのようなシャッター板を有するフィットチェッカーには、マスク着用者の視野を狭めることがないような設計上の配慮が必要となる。例えば、シャッター板を開閉させるときに指先を当てるアームやシャフトの操作端部は、あまり大きなものにすることができず、そのために操作しにくいものになるということがある。【０００７】
この発明では、フィットチェッカーについてのそのような点検作業を不要にしたり軽減したりすることおよび／またはフィットチェッカーについての操作を容易にすることが可能なフィットチェッカーを有する呼吸用保護具の提供を課題にしている。
【課題を解決するための手段】
【０００８】
前記課題を解決するために、この発明が対象とするのは、顔面に対して気密状態で着用される面体が前記顔面と向かい合う内面とその反対面である外面とを有するとともに、前記外面の側から前記内面の側への清浄空気の流入を可能にする空気流路に形成された吸気孔と、前記面体が前記気密状態にあるか否かを点検するためのフィットチェッカーとを有する呼吸用保護具である。【０００９】
この呼吸用保護具において、この発明が特徴とするところは、次のとおりである。すなわち、前記フィットチェッカーは、前記空気流路にあって前記吸気孔に対して前記外面の側において開閉する点検用弁と、前記空気流路の外から前記点検用弁を開閉させることが可能な操作用レバーとを有する。前記レバーの操作によって、前記点検用弁が前記外面から前記内面に向かう第１方向と前記内面から前記外面に向かう第２方向とのうちの少なくとも前記第１方向へ移動して前記吸気孔を前記外面の側から閉じることが可能である。【００１０】
前記レバーは、その長さ方向における一端部と、その反対端部である操作端部と、これら両端部の間の中間部とを有し、前記操作端部が前記空気流路の外にあって前記第１方向への旋回と前記第２方向への旋回とを反復できるように、前記レバーは往復回転運動可能に前記中間部において前記面体に取り付けられており、前記操作端部が前記第２方向へ旋回すると、前記一端部に取り付けられている前記点検用弁が前記第１方向へ旋回して前記吸気孔を前記外面の側から閉じ、前記操作端部が前記第１方向へ旋回すると、前記点検用弁が前記第２方向へ旋回して前記吸気孔を開くことが可能である。
【００１１】
この発明の実施態様の一つにおいて、前記レバーには、前記点検用弁が前記吸気孔を閉じるように前記レバーを付勢するための付勢手段が形成されている。
【００１２】
この発明の実施態様の他の一つにおいて、前記付勢手段は、前記レバーから延出する弾性アームであって、前記レバーを付勢するときに、前記面体の一部分に圧接して弾性変形する。【００１３】
この発明の実施態様の他の一つにおいて、前記レバーは、前記操作端部が下方となるように前記面体の内側において上下方向へ延びていて、前記操作端部が前記空気流路の外へ延出している。【００１４】
この発明の実施態様の他の一つにおいて、前記呼吸用保護具は、前記面体の両側部それぞれにフィルタユニットを有している。【００１５】
この発明の実施態様の他の一つにおいて、前記点検用弁は、前記第１方向への旋回と前記第２方向への旋回とを反復できるように前記点検用弁の周縁部の一部分が旋回用のピンを介して前記面体に対して取り付けられている。
【発明の効果】
【００１６】
この発明に係る呼吸用保護具のフィットチェッカーは、点検用弁を開閉するための操作用レバーを有する。操作用レバーを面体の内面から外面へ向かう第２方向へ旋回させると、点検用弁は第２方向とは反対の第１方向へ旋回して弁座に当接することにより、面体の吸気孔を閉じることができる。吸気孔がこのようにして閉じている呼吸用保護具では、面体と顔面とが気密状態にあるか否かを簡単に点検することができる。点検用弁が旋回する第１方向は面体に接近する方向であり、第２方向は面体から離間する方向であって、このように旋回する点検用弁では、吸気孔周囲に形成された弁座に対して摺動することがないから、そのような摺動に起因する磨耗や損傷の問題が発生しない。このフィットチェッカーではまた、点検用弁と操作用レバーとが、面体の前後方向において面体に対して接近または離間するように旋回するものであって、旋回することによってマスク着用者の視野を横断したり縦断したりすることがないから、操作用レバーの操作が容易となるように操作用レバーの端部を大きくしても視野を狭くすることがない。
【図面の簡単な説明】
【００１７】
【図１】呼吸用保護具の一例として示す、半面型マスクの正面図。
【図２】フィットチェッカーユニットのキャップが外してあるときの半面型マスクの部分破断正面図。
【図３】フィットチェッカーユニットの内面側を部分的に破断して示す図。
【図４】図１のＩＶ−ＩＶ線断面図。
【図５】点検用弁が閉じた状態にある図１のＩＶ−ＩＶ線断面図。
【図６】実施態様の一例を示す図５と同様な図。
【発明を実施するための形態】
【００１８】
添付の図面を参照して、この発明に係る呼吸用保護具の詳細を説明すると、以下のとおりである。
【００１９】
図１は、呼吸用保護具の一例である半面型マスク１の正面図である。マスク１は、面体２と、面体２の左右両側部に取り付けられたフィルタユニット３と、面体２の横方向Ｘの中央部に取り付けられたフィットチェッカーユニット４とを有する。面体２はまた、マスク１の着用者（図示せず）の顔面と向かい合う内面２ａ（図４参照）とその反対面である外面２ｂとを有し、その外面２ｂには頭部に掛け回す締め紐６が取り付けられ，中央部の下方には排気用逆止弁（図示せず）に対する通気性のカバー部材７が取り付けられている。図において双頭矢印Ｘはマスク１の、換言すると面体２の横方向を示し、双頭矢印Ｙは面体２の縦方向を示している。ただし、マスク１においては、縦方向Ｙということに代えて、上下方向Ｙということもある。線Ｐ−Ｐは、横方向Ｘにおいてマスク１の寸法を二等分する中心線であって、マスク１は実質的な意味において中心線Ｐ−Ｐに関して対称に作られている。マスク１について左右というときには、マスク着用者にとっての左右を意味している。
【００２０】
図２は、図１のマスク１を部分的に分解、破断して示す図である。フィルタユニット３は、左方のものが分解、破断した状態にあり、右方のものが組み立てた状態にある。左方のフィルタユニット３において明らかなように、フィルタユニット３は、フィルタ収納ケース１１と、そのケース１１に着脱可能な通気性のキャップ１２と、ケース１１に収納されている交換可能なフィルタ１３とで形成されている。ケース１１とフィットチェッカーユニット４との間には空気流路１４が延びている。ケース１１の底部内面１６からはフィルタ１３に向かって複数のピン状部１７が起立して、底部内面１６とフィルタ１３との間に通気性のクリアランス１８を形成している。キャップ１２は、円形の正面部分１９の中央に通気孔２１が形成されている。キャップ１２はまた、円筒状の周壁部２２の内面がケース１１における螺状部２３に対して着脱可能である。ケース１１とキャップ１２とは、ＡＢＳ樹脂等の硬質プラスチックで形成されている。
【００２１】
フィットチェッカーユニット４は、弁ホルダー３１と、弁ホルダー３１に対して着脱可能なキャップ３２とを有するが、図ではキャップ３２が弁ホルダー３１から取り外された状態にある。弁ホルダー３１は、ほぼ四角形に形成された頂壁部３３を有し、頂壁部３３の内側の中央には点検用弁３５が見えている。その点検用弁３５には、上下方向Ｙに延びる操作用レバー３６が取り付けられている。
【００２２】
レバー３６は、点検用弁３５の開閉を操作するための手段である。そのレバー３６の上端部は、点検用弁３５に対する取り付け部３６ａであって、コネクタピン３７を介して点検用弁３５に回転可能に取り付けられている。レバー３６の下端部は、レバー３６の操作部３６ｂであって、その操作部３６ｂは頂壁部３３の外へ延びている。点検用弁３５は天然ゴムや合成ゴム等の弾性材料で形成され、弁ホルダー３１、キャップ３２、レバー３６は、ＡＢＳ樹脂等の硬質プラスチックで形成されている。
【００２３】
図２における矢印Ａは、マスク１が着用状態にあるときの空気流路１４における空気の流れを示している。外気は、通気孔２１からフィルタユニット３へ進入して、フィルタ１３を通過するときにろ過されて清浄空気となり、空気流路１４を通って弁ホルダー３１の内側に進入する。空気のこのような流れを得るために、ケース１１では、フィルタユニット３においての空気流路１４となる部分の外周面部が面体２に形成された透孔１５に対して気密状態で嵌合している。フィットチェッカーユニット４における弁ホルダー３１は面体２に形成された嵌合口４１の内側にある。また、キャップ３２は、その四隅に形成されている脚部３８を弁ホルダー３１における頂壁部３３の四隅に形成されている挿入口３９に挿入すると、弁ホルダー３１と一体になる。弁ホルダー３１は面体２の周壁部４３によって囲まれていて、キャップ３２の周縁部３２ａがその周壁部４３における頂部４３ａに形成された溝４２に進入することによって、キャップ３２と面体２との間が気密状態になる（図４参照）。したがって、図１の面体２が顔面に対して気密状態にあるときに、キャップ３２と面体２との間から外気が弁ホルダー３１の内側へ侵入するということはない。
【００２４】
図３は、フィットチェッカーユニット４とその近傍を面体２の内側から見たときの図である。フィットチェッカーユニット４における弁ホルダー３１は、ほぼ四角形に形成された底面部４６（図４参照）と、ほぼドーナツ型に形成されたフランジ部４５とを有し、これら両部４５，４６を貫通するように吸気孔４７が形成されている。フィットチェッカーユニット４は、面体２の外側からその吸気孔４７に対して開閉する図２の点検用弁３５と、面体２の内側からその吸気孔４７に対して開閉する図３の吸気用逆止弁４９とを有する。吸気用逆止弁４９は、呼吸用保護具の分野において慣用のもので、取り付け用の透孔５３が形成されていて、その透孔５３を有する部分が、吸気孔４７の径方向へ延びるリブ５１に形成されたアンダーカットつきの突起部５２に嵌められている（図４参照）。吸気孔４７の周縁部には、吸気用逆止弁４９に対する内側弁座５４が形成されている。
【００２５】
図４，５は、図１におけるＩＶ−ＩＶ線断面図であるが、図４では点検用弁３５が吸気孔４７に対して開いた状態にあり、図５では点検用弁３５が吸気孔４７に対して閉じた状態にある。
【００２６】
図４の面体２において、嵌合孔４１を形成している周壁部４３の頂部４３ａとキャップ３２とが気密状態で当接し、周壁部４３の基端部４３ｂがつながる面体２の部分４８が弁ホルダー３１におけるフランジ部４５と底面部４６とに気密状態で当接している。また、周壁部４３に形成された透孔５６の周縁部が、その透孔５６に挿通されたレバー３６の周囲に対して気密状態で当接している。ただし、キャップ３２は、周壁部４３の頂部４３ａを弾性変形させることによって、面体２から取り外すことができる。また、レバー３６は、取り付け部３６ａと操作部３６ｂとの間の中間部３６ｃがピン５７を介して周壁部４３に往復回転運動可能に取り付けられている。フィットチェッカーユニット４は、実質的な意味において面体２と一体であるから、レバー３６はピン５７を中心に往復回転運動可能に面体２に取り付けられているということもできる。このようなレバー３６が双頭矢印Ｂで示す範囲の往復回転運動をするときに、操作部３６ｂは面体２の外面２ｂから内面２ａへ向かう第１方向Ｃ１への旋回と、面体２の内面２ａから外面２ｂへ向かう第２方向Ｃ２への旋回とを反復する。
【００２７】
図４では、レバー３６が双頭矢印Ｂの示す方向のうちの反時計方向Ｂ２へ回転した状態にあり、操作部３６ｂが第１方向Ｃ１へ旋回した状態にあって、取り付け部３６ａにおける点検用弁３５が吸気孔４７の周縁に形成された外側弁座５８から離間している。この状態にあるレバー３６では、中間部３６ｃに形成されたアーム状の弾性カムフォロア６０における係合凹部６１が弁ホルダー３１に形成されたカム６２に圧接することによって、レバー３６の時計方向Ｂ１への回転が阻止されている。図４の弁ホルダー３１には、フィルタユニット３につながる空気流路１４が見えている。
【００２８】
マスク１が着用されて図４の状態にあるときには、着用者が吸気動作をすると、清浄空気が左右のフィルタユニット３のそれぞれから延びる空気流路１４を流れて弁ホルダー３１の内側で合流し、さらに吸気孔４７の内側に取り付けられた吸気用逆止弁４９を押し開いて面体２の内側へ入り、吸気として使用される。なお、図４において、吸気用逆止弁４９は、吸気孔４７の周縁に形成された内側弁座５４に当接して吸気孔４７を閉じているときのものが実線で示され、内側弁座５４から離間して吸気孔４７を開いているときのものが仮想線で示されている。
【００２９】
図５では、図４におけるレバー３６の操作部３６ｂを第２方向Ｃ２へ旋回させたときの点検用弁３５の状態を示している。操作部３６ｂに指先を当てて操作部３６ｂを第２方向Ｃ２へ旋回させると、点検用弁３５は、ピン５７を中心に面体２の外面２ｂから内面２ａへ向かう第１方向Ｃ１へ旋回する。その旋回によって、点検用弁３５は、双頭矢印で示す前後方向Ｚにおいて、弧を画くように前方から吸気孔４７に接近して、吸気孔４７の周縁部に形成された外側弁座５８に当接し、吸気孔４７を閉じることができる。このように操作部３６ｂを第２方向Ｃ２へ旋回させることによってレバー３６が時計方向Ｂ１へ回転するときには、レバー３６に形成された弾性アームであるカムフォロア６０がカム６２に圧接して矢印Ｄ（図４参照）で示す方向へ弾性変形し、カムフォロア６０における係合凹部６１とカム６２との接触が解け、カムフォロア６０における係合凸部６３を越えた部位６４がカム６２に圧接する。カム６２に対するカムフォロア６０のこのような圧接によって時計方向Ｂ１へ回転するようにレバー３６を付勢し、点検用弁３５を外側弁座５８に圧接させることができると同時に、点検用弁３５が外側弁座５８から離間することを防ぐことができる。このように、カムフォロア６０は、レバー３６に対する付勢手段として作用する。カムフォロア６０を介して点検用弁３５を外側弁座５８に圧接させることができるように、図５におけるカムフォロア６０の部位６４とカム６２とは、上下方向Ｙにおいて、ピン５７よりも上方の位置で圧接している。
【００３０】
マスク１を使用するときには、空気流路１４の外からレバー３６を操作して、点検用弁３５を図４の状態にして着用する。次いで、面体２を顔面に密着させたなら、レバー３６を時計方向Ｂ１へ回転するように操作して点検用弁３５を第１方向Ｃ１へ旋回させ、点検用弁３５を外側弁座５８に当接させて吸気孔４７を閉じる。ここで、呼吸の繰り返しを試みて、面体２への空気の進入がなく、息苦しく感じたならば、面体２と顔との気密状態が良好であると判断する。その後、操作部３６ｂを第１方向Ｃ１へ旋回させてレバー３６を反時計方向Ｂ２へ回転するように操作し、点検用弁３５を第２方向Ｃ２へ旋回させて外側弁座５８から離間させ、吸気孔４７を開いてマスク１の使用を開始する。
【００３１】
このように点検用弁３５に対する操作手段となるレバー３６を空気流路１４の外から操作して点検用弁３５を第１方向Ｃ１と第２方向Ｃ２とに旋回させて、換言すると面体２の前後方向Ｚにおいて点検用弁３５を弧を画くように移動させて外側弁座５８に対して当接させたり離間させたりするマスク１では、点検用弁３５が弁座等に対して摺動して摩耗したり損傷を受けたりするという問題が生じない。それゆえ、点検用弁３５や外側弁座５８についての定期的点検等の作業による着用者にとっての煩わしさを軽減することが可能になる。また、点検用弁３５が旋回する方向は面体２の前後方向Ｚであって、そのように旋回する点検用弁３５は、マスク着用者の視界を横切るということがないから、フィットチェッカーユニット４の採用は、マスク１を着用したときの視界を広くすることに役立つ。点検用弁３５を旋回させるためのレバー３６は、その操作部３６ｂを図示例の如く面体２の下方において旋回させるものである場合に、レバー３６の操作が容易となるように操作部３６ｂを大きくしても、その操作部３６ｂが視界に入るということがない。
【００３２】
図６は、実施態様の一例を示す図５と同様な図であって、点検用弁３５が吸気孔４７における外側弁座５８に当接している。ただし、図６におけるフィットチェッカーユニット４では、点検用弁３５における周縁部７１の一部分に旋回用のピン７０に対する嵌合部７２が形成されている。旋回用のピン７０は断面が円形のものであって、両端部のうちの少なくとも一方が弁ホルダー３１に支持されている。嵌合部７２は、それに挿入されている旋回用のピン７０に対して周方向へ摺動可能である。レバー３６は、図４，５の場合と同様に、その取り付け部３６ａがコネクタピン３７を介して点検用弁３５に取り付けられている。レバー３６の中間部３６ｃは、そこに形成されている孔７３にピン５７が挿入されている。
【００３３】
このような図６のフィットチェッカーユニット４では、操作部３６ｂを第１方向Ｃ１へ旋回させて仮想線で示す状態にすると、点検用弁３５は、第２方向Ｃ２に向かって旋回用のピン７０を中心に旋回して当接していた外側弁座５８から離れ、仮想線で示す状態となって吸気孔４７が開く。仮想線の操作部３６ｂを第２方向Ｃ２へ旋回させれば、レバー３６はピン５７を中心に回転し、点検用弁３５は、旋回用のピン７０を中心に旋回して、図６の状態に戻り、マスク１のフィットチェックが可能になる。フィットチェッカーユニット４ではまた、点検用弁３５とレバー３６との図示例の如き動きを可能にするために、レバー３６の中間部３６ｃに形成されている孔７３の形状が長円形になっている。図示例の如く点検用弁３５が弁ホルダー３１に対して旋回用のピン７０を介して旋回可能に取り付けられているマスク１を着用すると、フィットチェッカーユニット４が使用状態にあるか否かにかかわらず点検用弁３５は振動することがなく、マスク１は、点検用弁３５の振動によって着用者に不快感を与えるということがない。フィットチェッカーユニット４ではまた、旋回用のピン７０と嵌合部７２とが面体２の横方向Ｘ（図１参照）へ水平に延びていることが好ましい。そのための点検用弁３５の一例において、周縁部７１はそれをマスク１の前方から見たときに、正方形、矩形または台形を画いている。
【００３４】
半面型マスクを例にとって説明したこの発明は、全面型マスクにおいて実施することも可能である。また、図示例においての吸気用逆止弁４９は、フィットチェッカーユニット４に組み込まれていたが、ユニット４とは別体の部材によって面体２に取り付けることもできる。さらに、この発明は、吸気用逆止弁４９を持たない半面型マスクや全面型マスクである呼吸用保護具において実施することもできる。この発明に係る呼吸用保護具ではまた、キャップ３２の使用に代えて、点検用弁３５を覆うように面体２の周壁部４３を拡張し、その拡張した部分の内側に弁ホルダー３１と点検用弁３５とレバー３６とで形成されたフィットチェッカーユニットをセットすることができる。図４におけるレバー３６は、手動操作によって時計方向Ｂ１と反時計方向Ｂ２とに回転するものであったが、自動的に反時計方向Ｂ２に回転するようにレバー３６をバネで付勢しておくこともできる。そのようなレバー３６が使用されているマスク１の常態では、吸気孔４７に対して点検用弁３５が開いている。フィルタユニット３におけるフィルタ１３は、防じん用のものでもよいし、防毒用のものでもよい。また、フィルタユニット３は、この技術分野において周知の吸収缶であってもよい。この発明は、呼吸用保護具において実施することができるものであって、図示例の如き自己肺力を使用する防じんマスクは呼吸用保護具の一例にすぎない。
【符号の説明】
【００３５】
１    呼吸用保護具（半面型マスク）
２    面体
２ａ    内面
２ｂ    外面
３    フィルタユニット
４    フィットチェッカー（フィットチェッカーユニット）
１３    フィルタ
１４    空気流路
３５    点検用弁
３６    操作用レバー
３６ａ    一端部（取り付け部）
３６ｂ    操作部
３６ｃ    中間部
４７    吸気孔
５８    弁座
６０    弾性アーム（カムフォロア）
６２    一部分（カム）
７０    旋回用のピン
７１    周縁部
Ｃ１        第１方向
Ｃ２        第２方向
Ｙ    上下方向（縦方向）
【図１】
0005572274.tif 000002
【図２】
0005572274.tif 000003
【図３】
0005572274.tif 000004
【図４】
0005572274.tif 000005
【図５】
0005572274.tif 000006
【図６】
0005572274.tif 000007